(57)【要約】【課題】表側台紙の嵌合穴にブリスター本体の張り出し部を嵌め込み、表側台紙と裏側台紙との間にフランジ部を挟み込む構成を有しながらも裏側台紙の内側が見えず、しかも簡単に組み立てられるうえ張り出し部の高さ寸法を大きく設定することができるブリスター容器を提供する。【解決手段】ブリスター本体１１を張り出し部１１ａとフランジ部１１ｂとで、台紙本体１２を表側台紙１３と裏側台紙１４とで構成する。そして表側台紙１３に切り込みを入れ、開閉可能な切り起こし部１５と嵌合穴１６とを形成する。切り起こし部１５は、ヒンジ部１３ａを介して連設する支持部１５ａ、蓋部１５ｂ、掛止部１５ｃで構成し、切り起こし部１５を開けて張り出し部１１ａを嵌合穴１６に嵌め込み、商品を収納した後に閉じ、最後に裏側台紙１４を折り畳んで間にフランジ部１１ｂを挟み込んだ状態にして表側台紙１３と裏側台紙１４とを留める。【選択図】図１
2013139280.tif 000002
【特許請求の範囲】
【請求項１】
商品を収納可能な張り出し部と該張り出し部の周縁に設けられたフランジ部とからなるブリスター本体と、表側台紙および裏側台紙とで構成されるブリスター容器であって、
表側台紙は、切り込みを入れることによって形成されヒンジ部を介して開閉可能な切り起こし部と、該切り起こし部を開いたあとに生じて前記ブリスター本体の張り出し部が嵌合可能な嵌合穴とを有し、
前記切り起こし部は、ヒンジ部を介して開閉可能に延設された支持部と、該支持部から延設され張り出し部を裏側から覆う蓋部と、該蓋部から延設され切り起こし部を閉じたときにブリスター本体に掛かることによって切り起こし部が張り出し部内に入り込むのを防ぐための掛止部とからなり、
切り起こし部を開けて張り出し部を嵌合穴に嵌め込み、商品を収納した状態で切り起こし部を閉じ、表側台紙と裏側台紙とを重ね合わせ、その間にフランジ部を挟み込んで留めたことを特徴とするブリスター容器。
【請求項２】
前記表側台紙と裏側台紙とが折込み線を介して一体に形成されたことを特徴とする請求項１に記載のブリスター容器。
【請求項３】
前記フランジ部の、支持部および掛止部の両方もしくはどちらか一方の対応する部位に、前記支持部または掛止部が収納可能な張り出し部が設けられたことを特徴とする請求項１または２に記載のブリスター容器。  
【請求項４】
前記フランジ部の、支持部および掛止部の両方もしくはどちらか一方の対応する部位に、前記支持部または掛止部が収納可能な切り欠き部が設けられたことを特徴とする請求項１または２に記載のブリスター容器。
【請求項５】
前記切り起こし部の蓋部に切り込みを入れ、商品を係止して固定するための切り起こし片を設けたことを特徴とする請求項１、２、３、４のいずれかに記載のブリスター容器。
【請求項６】
前記切り起こし部の蓋部に複数の通し穴を穿設し、該通し穴を通した紐体によって前記蓋部に商品を固定することを特徴とする請求項１、２、３、４のいずれかに記載のブリスター容器。
【発明の詳細な説明】
【技術分野】
【０００１】
本発明は、商品を収容して陳列販売されるブリスター容器に関する。
【背景技術】
【０００２】
この種のブリスター容器として、商品を収納するための張り出し部と該張り出し部の周縁から延設されたフランジ部とを有するブリスター本体と、前記張り出し部が嵌め込み可能に打ち抜かれた嵌合穴を有する表側台紙と、裏側台紙とで構成され、表側台紙の嵌合穴に張り出し部を嵌め込み、フランジ部を表側台紙と裏側台紙の間に挟んだ状態にして一体に熱溶着したものが特許文献１に開示されている。
【０００３】
かかる提案によるブリスター容器は、いわゆるスライドブリスターと呼ばれるブリスター容器（フランジ部の対向する側縁を内側に折り曲げることによってガイド溝を作成し、このガイド溝に台紙を差し込んでホチキス等で留めたブリスター容器）に比してガイド溝を折り曲げる工程が少なくてすむという利点を有するものの、嵌合穴から張り出し部を透して裏側台紙の内側が見えてしまうという欠点があった。
【０００４】
そこで、この欠点を補うものとして例えば特許文献２に開示される提案がなされている。これは、前記嵌合穴を打ち抜く代わりに上辺の一部をヒンジ部として残すことによって開閉可能な蓋片を形成するとともに、フランジ部の前記ヒンジ部と対応する部位にも切り欠きを設け、嵌合穴にブリスター本体の張り出し部を嵌め込むと同時に前記切欠きを蓋片のヒンジ部に係合させるものである。
【０００５】
こうした構成をとることによって、この特許文献２の提案にかかるブリスター容器は、張り出し部を透して裏側台紙の内側が見えるのを防ぐとことに成功している。
【先行技術文献】
【特許文献】
【０００６】
【特許文献１】実開平１−９４２６９号公報
【特許文献２】特開２００６−７６６５３号公報
【発明の概要】
【発明が解決しようとする課題】
【０００７】
しかしながら、前記特許文献２の提案の場合、ヒンジ部にフランジ部の切り欠きを係合させるためにはヒンジ部の斜め上方から浅い角度でフランジ部を差し込んでいく必要があり、組み立て作業がし難いという欠点があった。また、張り出し寸法を大きく設定するとフランジ部を差し込む際に張り出し部の角部分が嵌合穴の周縁部に当たってしまうため張り出し量をあまり大きくとることができず、収納できる商品の厚みが限定されてしまうという不都合もあった。
【０００８】
本発明は、かかる従来ブリスター容器の欠点を解消すべくなされたものであって、その目的は、表側台紙の嵌合穴にブリスター本体の張り出し部を嵌め込み、表側台紙と裏側台紙との間にブリスター本体のフランジ部を挟み込むタイプのブリスター容器でありながらも張り出し部を透して裏側台紙の内側が見えることなく、しかも簡単に容器を組み立てることができるうえ張り出し部の高さを大きく設定することのできるブリスター容器を提供することにある。
【課題を解決するための手段】
【０００９】
かかる目的を達成するために本発明のブリスター容器は、商品を収納可能な張り出し部と該張り出し部の周縁に設けられたフランジ部とからなるブリスター本体と、表側台紙および裏側台紙とで構成されるブリスター容器であって、
表側台紙は、切り込みを入れることによって形成されヒンジ部を介して開閉可能な切り起こし部と、該切り起こし部を開いたあとに生じて前記ブリスター本体の張り出し部が嵌合可能な嵌合穴とを有し、
前記切り起こし部は、ヒンジ部を介して開閉可能に延設された支持部と、該支持部から延設され張り出し部を裏面側から覆う蓋部と、該蓋部から延設され切り起こし部を閉じたときにブリスター本体に掛かることによって切り起こし部が張り出し部内に入り込むのを防ぐための掛止部とからなり、
切り起こし部を開けて張り出し部を嵌合穴に嵌め込み、商品を収納した状態で切り起こし部を閉じ、表側台紙と裏側台紙とを重ね合わせ、その間にフランジ部を挟み込んで留めたことを特徴としている。
【００１０】
かかる構成をもつ本発明のブリスター容器は、切り起こし部を大きく開けて張り出し部を嵌め込むことができるために組み立てが容易である。
【００１１】
なお、前記表側台紙と裏側台紙とは折込み線を介して一体に形成されるものであってもよい。
【００１２】
こうした構成をとることによって、台紙への印刷が片面で済み、製造コストが低下するという利点が生じる。
【００１３】
また、前記フランジ部の、支持部および掛止部の両方もしくはどちらか一方の対応する部位には前記支持部または掛止部が収納可能な張り出し部を設けてもよい。  
【００１４】
さらにまた、前記フランジ部の、支持部および掛止部の両方もしくはどちらか一方の対応する部位には前記支持部または掛止部が収納可能な切り欠き部を設けてもよい。
【００１５】
こうした構成をとることによって、切り起こし部を閉じたときにフランジ部に当接して重なる部分の厚みをなくすことができ、表側台紙と裏側台紙を重ねたときに膨らみが生ずるのを防ぐことができる。
【００１６】
また、前記切り起こし部の蓋部に切り込みを入れ、商品を係止して固定するための切り起こし片を設けてもよい。
【００１７】
また、前記切り起こし部の蓋部に複数の通し穴を穿設し、該通し穴を通した紐体によって収納した商品を固定してもよい。
【００１８】
こうした構成をとることによって、大きさの異なる商品に同一サイズのブリスター容器を利用することができるという利点が生ずる。
【発明の効果】
【００１９】
本発明によれば、表側台紙の嵌合穴にブリスター本体の張り出し部を嵌め込み、表側台紙と裏側台紙との間にブリスター本体のフランジ部を挟み込むタイプのブリスター容器でありながらも張り出し部から裏側台紙の内側が見えず、しかも簡単に容器を組み立てることができるうえ張り出し部の高さを大きく設定することができる。
【図面の簡単な説明】
【００２０】
【図１】本発明にかかるブリスター容器の第１実施形態を示す斜視図。
【図２】同、（ａ）は展開図、（ｂ）はブリスター本体の正面図。
【図３】同、ブリスター本体を表側台紙に嵌め込む前の状態を示す斜視図。
【図４】同、ブリスター本体を表側台紙に嵌め込んだ状態を示す斜視図。
【図５】同、切り起こし部を閉じた状態を示す斜視図。
【図６】台紙を折り畳んだ状態を示す斜視図。
【図７】同、第２実施形態の、（ａ）はブリスター本体を表側台紙に嵌め込む前の状態を示す斜視図、（ｂ）はブリスター本体の正面図。
【図８】同、第３実施形態の、（ａ）はブリスター本体を表側台紙に嵌め込む前の状態を示す斜視図、（ｂ）はブリスター本体の正面図。
【図９】同、第４実施形態の、（ａ）はブリスター本体を表側台紙に嵌め込む前の状態を示す斜視図、（ｂ）はブリスター本体の平面図。
【図１０】同、第５実施形態の、（ａ）はブリスター本体を表側台紙に嵌め込む前の状態を示す斜視図、（ｂ）はブリスター本体の斜視図。
【発明を実施するための形態】
【００２１】
以下、本発明にかかるブリスター容器の実施形態を図に基づき説明するが、これに限定されるものではない。なお、ここでは便宜上、ブリスター本体から張出し部が張り出している側を表面または正面、逆側を裏面ないし背面として説明している。また、左とは向かって左、右とは向かって右の意である。
【００２２】
≪第１実施形態≫
図１ないし図６は本発明にかかるブリスター容器の第１実施形態を示しており、図１は斜視図、図２（ａ）は展開図、（ｂ）はブリスター本体の正面図、図３はブリスター本体を表側台紙に嵌め込む前の状態を示す斜視図、図４はブリスター本体を表側台紙に嵌め込んだ状態を示す斜視図、図５は切り起こし部を閉じた状態を示す斜視図、図６は台紙を折り畳んだ状態を示す斜視図である。
【００２３】
図において、ブリスター容器１０はブリスター本体１１と台紙本体１２とで構成されている。
【００２４】
このうちブリスター本体１１は、透明な合成樹脂製シート材からなるもので、表側に向かって凸設された商品収納用の張り出し部１１ａと該張り出し部１１ａの周縁部から外側に向かって延設されたフランジ部１１ｂとで構成されている。
【００２５】
台紙本体１２は、矩形状に形成された厚手の紙素材からなるもので、略中央に上縁から下縁に渡って設けられた折り曲げ線１２ａを介して連設する表側台紙１３と裏側台紙１４とで構成されている。
【００２６】
そして表側台紙１３には、正面視で幅方向略中央の位置にヒンジ部１３ａを上部に残して周回する切り込みが入れられ、これによって開閉可能な切り起こし部１５が形成されている。
【００２７】
切り起こし部１５は、具体的には前記ヒンジ部１３ａを介して開閉可能に延設された支持部１５ａと、該支持部１５ａに連設されブリスター本体１１側の張出し部１１ａを背面側から覆って閉蓋する蓋部１５ｂと、この蓋部１５ｂから延設され切り起こし部１５が閉じられたときにブリスター本体１１に掛かることによって蓋部１５ｂが張出し部１１ａ内に入り込むのを防ぐ掛止部１５ｃとで構成されている。
【００２８】
また、切り起こし部１５が開かれたときに生ずる表側台紙１３の空隙は、嵌合穴１６としてブリスター本体１１の張り出し部１１ａを嵌め込むために使用される。
【００２９】
表側台紙１３および裏側台紙１４の幅方向中央部上方寄りの位置には、二つ折りにした状態で重なり合う位置に吊り下げ用の穴１３ｄ・１４ｄがそれぞれ穿設されている。
【００３０】
かかる構成のブリスター容器１０は以下のようにして組み立てられる。
【００３１】
まず第１の工程として、展開状態にした台紙本体１２のうち表側台紙１３の切り起こし部１５をヒンジ部１３ａで背面側に向かって折り曲げ、嵌合穴１６を開口する。
【００３２】
つぎに第２の工程として、この嵌合穴１６に背面側からブリスター本体１１側の張り出し部１１ａを嵌め込み、商品を収納した後、切り起こし部１５を元の閉じた状態に戻す。
【００３３】
なお本第１実施形態の場合、張り出し部１１ａを嵌合穴１６に嵌め込むためには支持部１５ａの長さすなわちヒンジ部１３ａから蓋部１５ｂまでの距離をフランジ部１１ｂの幅よりも大きく取る必要がある。この支持部１５ａが形成されていることによって、ブリスター本体１１を傾けることなく正対した状態のまま嵌め込むことができるわけである。
【００３４】
また、掛止部１５ｃは、ブリスター本体１１側のフランジ部１１ｂに掛かることによって蓋部１５ｂが張り出し部１１ａ内に入り込んでしまうことを防ぐ役割と、裏側台紙１４を折り畳んだときにフランジ部１１ｂと裏側台紙１４との間に挟み込まれることによって切り起こし部１５の揺動を防ぐ役割とをもっており、その突出寸法は特に限定されるものではなく、フランジ部１１ｂに掛かって蓋部１５ｂが張り出し部１１ａの内側に入り込まない程度にあればよい。
【００３５】
そして最後に第３の工程として、裏側台紙１４を折り曲げ線１２ａの位置で折り込み、表側台紙１３と重ね合わせて留めることによって組み立てが終了する。その後、このブリスター容器は店頭等に吊り下げられて展示販売されるわけである。
【００３６】
なお、表側台紙１３と裏側台紙１４とを重ね合わせて留める方法は特に限定するものではなく、例えばホチキス留めや粘着テープによるものであってもよく、接着によるものであってもよい。
接着による場合は、全面を接着するものであってもよいが、表側台紙１３と裏側台紙１４の外周縁のみを接着し、内側部分および切り起こし部１５やフランジ部１１ｂは接着しないものとすれば開封作業がより容易となって好ましい。
【００３７】
さらに、商品の取り出しを容易にするために、裏側台紙１４や切り起こし部１５の蓋部１５ｂに例えば側端縁から出発し略Ｕ字形状の軌道を描いた後再び側端縁に戻るミシン線を設け、その中央部を舌片状に破り取ることができるようにしてもよい。
【００３８】
≪第２実施形態≫
図７は本願発明にかかるブリスター容器の第２実施形態を示しており、（ａ）はブリスター本体を表側台紙に嵌め込む前の状態を示す斜視図、（ｂ）はブリスター本体の正面図である。
【００３９】
図において、ブリスター容器２０はブリスター本体２１と台紙本体２２とで構成されている。なお基本構成は第１実施形態とほぼ同じであるので煩雑さを防ぐために同一箇所には同一符号を付し、説明を省略する。これは以降の実施形態の説明においても同様とする。
【００４０】
本第２実施形態では、フランジ部１１ｂの、切り起こし部１５の支持部１５ａおよび掛止部１５ｃに対応する部位には、表側に向かって張り出す凸条部２１ａ・２１ｃがそれぞれ形成されている。この凸条部２１ａ・２１ｃは背面側から見た場合には溝状に窪んでおり、切り起こし部１５を閉じたときに支持部１５ａと掛止部１５ｃとをそれぞれ収納する役割をもっている。こうした構成によって、台紙本体２２を折り畳んだときに切り起こし部１５の厚み分だけ膨らみが生ずるといった不都合を防ぐことができ、美観を損ねることがない。
【００４１】
なお、本第２実施形態では、切り起こし部１５を閉じたときに蓋部１５ｂがフランジ部１１ａの内側に納まるため、切り込み幅を張り出し部１１ａの肉厚よりもやや大きく取っておくことが必要となる。
【００４２】
≪第３実施形態≫
図８は本願発明にかかるブリスター容器の第３実施形態を示しており、（ａ）はブリスター本体を表側台紙に嵌め込む前の状態を示す斜視図、（ｂ）はブリスター本体の正面図である。  
【００４３】
図において、ブリスター容器３０はブリスター本体３１と台紙本体３２とで構成されており、フランジ部１１ｂの、切り起こし部１５の支持部１５ａおよび掛止部１５ｃに対応する部位には、切り欠き部３１ａ・３１ｃがそれぞれ形成されている。
こうした構成をとることによって、台紙本体３２を折り畳んだときに切り起こし部１５の厚み分だけ膨らみが生ずるといった不都合を防ぐことができ、美観を損ねることがない。
【００４４】
本第３実施形態のようにフランジ部１１ａに切り欠きを入れて支持部１５ａを収納する形態のものでは、該支持部１５ａの長さはフランジ部１１ｂよりも短く設定することもできる。具体的にはフランジ部１１ｂの幅の半分の長さがあれば、切り起こし部１５を全開することによってブリスター本体３１を傾けることとなしに表側台紙１３と正対させた状態のまま嵌め込むことができる。なお、それよりも短く支持部１５ａの長さを設定したとしてもブリスター本体３１を適宜角度に傾けることによって嵌め込むことはできるが、その場合には張り出し部１１ａの天壁角部が嵌合穴１６の周縁部に当たる可能性が生じるため、高さの設定に多少の制限が加わることになる。
【００４５】
≪第４実施形態≫
図９は本願発明にかかるブリスター容器の第４実施形態を示しており、（ａ）はブリスター本体を表側台紙に嵌め込む前の状態を示す斜視図、（ｂ）はブリスター本体の平面図である。  
【００４６】
図において、ブリスター容器４０はブリスター本体４１と台紙本体４２とで構成されており、ブリスター本体４１のフランジ部１１ｂの、支持部１５ａおよび掛止部１５ｃに対応する部位のうち外周側略半分には切り欠き部４１ａ・４１ｃが、残りの内周側略半分には凸条部４２ａ・４２ｃがそれぞれ形成されている。
【００４７】
このようにフランジ部１１ｂの、支持部１５ａと掛止部１５ｃに対応する部位を、切り欠き部４１ａ・４１ｃと凸条部４２ａ・４２ｃとがそれぞれ連設される形状としてもよい。このような構成をとることによって、凸条部４２ａ・４２ｃが表側から見て目立たず、しかも切り起こし部１５の支持部１５ａや掛止部１５ｃを幅広く確実に受け止めて支持することができるという利点が生じる。
【００４８】
さらに、本第４実施形態では、切り起こし部１５の略中央上下に水平方向（幅方向）に延びる切り込みが向かい合わせに入れられることにより起倒可能な略コ字形状の切り起こし片４５・４５がそれぞれ形成されている。
【００４９】
この切り起こし片４５・４５は以下のようにして使用される。
【００５０】
まず、切り起こし片４５・４５を立ち上げておき、つぎに切り起こし部１５を起こして嵌合穴１６を開口してからブリスター本体１１側の張り出し部１１ａを嵌め込む。
その後、図に示す商品Ａの上下の端部Ａａ・Ａａをそれぞれ切り起こし片４５・４５に係合させて固定する。後は他の実施形態と同様に切り起こし部１５を閉じて裏側台紙１４を折り畳んで留めればよい。
【００５１】
このように台紙本体４２側に設けた切り起こし片４５・４５で商品を係止固定することによって、大きさの違う商品（本実施形態では例として長さが同一で幅寸法のみが違う商品を想定している）に合わせたブリスター本体を幾種類も用意する必要がなくなるという利点が生ずる。
【００５２】
なお、切り起こし片４５は対向する２片に限らず、商品Ａの四方を取り囲むように４片を配設するものであってもよい。また、その形状も略コ字形状のものに限定されるものではなく商品Ａの形状に適宜合わせればよく、例えば矩形状のものとしてその内側に窓状に係合穴を穿設したものであってもよい。
【００５３】
≪第５実施形態≫
図１０は本願発明にかかるブリスター容器の第５実施形態を示しており、（ａ）はブリスター本体を表側台紙に嵌め込む前の状態を示す斜視図、（ｂ）はブリスター本体の斜視図である。  
【００５４】
図において、ブリスター容器５０はブリスター本体５１と台紙本体５２とで構成されている。本第５実施形態においては、切り起こし部１５に形成された掛止部５５ｃ・５５ｃは、フランジ部１１ｂの長手側と短手側とが交わる角部左右２ヶ所にそれぞれ舌片状に延設されている。また、その突出寸法もフランジ部１１ｂの幅全長に渡るものではなく略半分程度の長さのものとなっている。
【００５５】
このように、切り起こし部に形成される掛止部は、その形成箇所や数量または形状を限定するものではなく、要はブリスター本体に掛かることによって張り出し部内に切り起こし部が入り込むのを防ぐことができ、さらに裏側台紙とブリスター本体との間に挟み込まれて揺動を防ぐことができる程度に延出したものであればよい。
【００５６】
つぎに、ブリスター本体５１側のフランジ部１１ｂは、支持部１５ａに対応する部位には切り欠き部５１ａが形成され、掛止部５５ｃ・５５ｃに対応する部位には表側に向かって張り出す凸部５１ｃ・５１ｃが形成されている。
【００５７】
このようにフランジ部の、支持部と掛止部に対応する部位は、同じ収納形態に限るものではなく、それぞれ別個のものであってもよい。
【００５８】
つぎに、切り起こし部１５の蓋部１５ｂには、商品Ｂを固定するための紐体Ｈが挿通可能な通し穴５６・５６が略中央部左右にそれぞれ穿設されている。
【００５９】
この通し穴５６は、以下のようにして使用される。
【００６０】
まず、切り起こし部１５を開口する、つぎに、紐体Ｈを一方の通し穴５６に挿通して商品Ｂを囲った後に他方の通し穴５６から裏側に抜き、両端部を裏側で連結して固定する。
この紐体Ｈは特に材質を問うものではなく、例えば極細の針金に合成樹脂製の被覆を施したものや合成樹脂製の結束バンドや平紐状のいわゆるＰＰバンドのようなものであってもよく、さらには紙製のテープであってもよい。要は商品の揺動を防いで固定できるものであればよい。
また紐体Ｈを連結固定する方法も特に限定するものではなく、その材質が針金であるならば両端部を攀じて締結すればよく、ＰＰバンド状のものであれば熱溶着、紙テープであれば接着等、それぞれの材質によって適宜に選定すればよい。
【００６１】
さらにまた、通し穴５６もその位置や個数を限定するものではなく、商品Ｂの形状等に合わせて適宜に設定すればよい。
【００６２】
このように固定用の通し穴を穿設して商品を固定することによって、それぞれの商品に対応した大きさの張り出し部を形成する必要がなくなり、一つの大きさのブリスター容器で幾種類もの大きさをもつ商品に対応することができるという利点が生ずる。
【符号の説明】
【００６３】
１０、２０、３０、４０、５０    ブリスター容器
１１、２１、３１、４１、５１    ブリスター本体
１２、２２、３２、４２、５２    台紙本体  
１３                            表側台紙
１４                            裏側台紙        
１５                            切り起こし部
１５ａ                          支持部
１５ｂ                          蓋部
１５ｃ、５５ｃ                  掛止部
【図１】
2013139280.tif 000003
【図２】
2013139280.tif 000004
【図３】
2013139280.tif 000005
【図４】
2013139280.tif 000006
【図５】
2013139280.tif 000007
【図６】
2013139280.tif 000008
【図７】
2013139280.tif 000009
【図８】
2013139280.tif 000010
【図９】
2013139280.tif 000011
【図１０】
2013139280.tif 000012
【手続補正書】
【提出日】平成24年4月12日(2012.4.12)
【手続補正１】
【補正対象書類名】特許請求の範囲
【補正対象項目名】全文
【補正方法】変更
【補正の内容】
【特許請求の範囲】
【請求項１】
商品を収納可能な張り出し部と該張り出し部の周縁に設けられたフランジ部とからなるブリスター本体と、切り込みを入れることによって形成されヒンジ部を介して開閉可能な切り起こし部と該切り起こし部を開いたあとに生じて前記ブリスター本体の張り出し部が嵌合可能な嵌合穴とを有する表側台紙と、裏側台紙と、で構成され、切り起こし部を開けて張り出し部を嵌合穴に嵌め込み、商品を収納した状態で切り起こし部を閉じ、表側台紙と裏側台紙とを重ね合わせ、その間にフランジ部を挟み込んで留めるブリスター容器において、
前記切り起こし部が、ヒンジ部を介して開閉可能に延設された支持部と、該支持部から延設され閉じた状態で張り出し部を裏側から覆う蓋部と、該蓋部から延設され切り起こし部を閉じたときにブリスター本体に掛かることによってこの蓋部が張り出し部内に入り込むのを防ぐための掛止部と、からなることを特徴とするブリスター容器。
【請求項２】
前記表側台紙と裏側台紙とが折込み線を介して一体に形成されたことを特徴とする請求項１に記載のブリスター容器。
【請求項３】
前記フランジ部の、支持部および掛止部の両方もしくはどちらか一方の対応する部位に、前記支持部または掛止部が収納可能な張り出し部が設けられたことを特徴とする請求項１または２に記載のブリスター容器。  
【請求項４】
前記フランジ部の、支持部および掛止部の両方もしくはどちらか一方の対応する部位に、前記支持部または掛止部が収納可能な切り欠き部が設けられたことを特徴とする請求項１または２に記載のブリスター容器。
【請求項５】
前記切り起こし部の蓋部の対向する位置にそれぞれ切り込みを入れ、商品を係止して固定するための切り起こし片を向かい合わせの状態に設けたことを特徴とする請求項１、２、３、４のいずれかに記載のブリスター容器。
【請求項６】
前記切り起こし部の蓋部に複数の通し穴を穿設し、紐体をこれに通して商品を囲い込んだのち該紐体端部同士を連結することによって蓋部に前記商品を固定することを特徴とする請求項１、２、３、４のいずれかに記載のブリスター容器。
【手続補正２】
【補正対象書類名】明細書
【補正対象項目名】０００９
【補正方法】変更
【補正の内容】
【０００９】
かかる目的を達成するために本発明は、商品を収納可能な張り出し部と該張り出し部の周縁に設けられたフランジ部とからなるブリスター本体と、切り込みを入れることによって形成されヒンジ部を介して開閉可能な切り起こし部と該切り起こし部を開いたあとに生じて前記ブリスター本体の張り出し部が嵌合可能な嵌合穴とを有する表側台紙と、裏側台紙と、で構成され、切り起こし部を開けて張り出し部を嵌合穴に嵌め込み、商品を収納した状態で切り起こし部を閉じ、表側台紙と裏側台紙とを重ね合わせ、その間にフランジ部を挟み込んで留めるブリスター容器において、
前記切り起こし部が、ヒンジ部を介して開閉可能に延設された支持部と、該支持部から延設され閉じた状態で張り出し部を裏側から覆う蓋部と、該蓋部から延設され切り起こし部を閉じたときにブリスター本体に掛かることによって切り起こし部が張り出し部内に入り込むのを防ぐための掛止部と、からなることを特徴としている。
【手続補正３】
【補正対象書類名】明細書
【補正対象項目名】００１６
【補正方法】変更
【補正の内容】
【００１６】
また、前記切り起こし部の蓋部の対向する位置にそれぞれ切り込みを入れることによって、商品を係止して固定するための切り起こし片を向かい合わせの状態に設けてもよい。
【手続補正４】
【補正対象書類名】明細書
【補正対象項目名】００１７
【補正方法】変更
【補正の内容】
【００１７】
また、前記切り起こし部の蓋部に複数の通し穴を穿設し、紐体をこれに通して商品を囲い込んだのち該紐体端部同士を連結することによって蓋部に前記商品を固定してもよい。
【手続補正書】
【提出日】平成24年7月6日(2012.7.6)
【手続補正１】
【補正対象書類名】特許請求の範囲
【補正対象項目名】請求項１
【補正方法】変更
【補正の内容】
【請求項１】
商品を収納可能な張り出し部と該張り出し部の周縁に設けられたフランジ部とからなるブリスター本体と、切り込みを入れることによって形成されヒンジ部を介して開閉可能な切り起こし部と該切り起こし部を開いたあとに生じて前記ブリスター本体の張り出し部が嵌合可能な嵌合穴とを有する表側台紙と、裏側台紙と、で構成され、切り起こし部を開けて張り出し部を嵌合穴に嵌め込み、商品を収納した状態で切り起こし部を閉じ、表側台紙と裏側台紙とを重ね合わせ、その間にフランジ部を挟み込んで留めるブリスター容器において、
前記切り起こし部が、ヒンジ部を介して開閉可能に延設され少なくとも前記フランジ部の幅よりも１／２以上の長さを有する首部と、該首部から延設され閉じた状態で張り出し部を裏側から覆う蓋部と、該蓋部から突片状に延設され切り起こし部を閉じたときにブリスター本体に掛かることによってこの蓋部が張り出し部内に入り込むのを防ぐための掛止部と、からなることを特徴とするブリスター容器。
【手続補正２】
【補正対象書類名】特許請求の範囲
【補正対象項目名】請求項３
【補正方法】変更
【補正の内容】
【請求項３】
前記フランジ部の、首部および掛止部の両方もしくはどちらか一方の対応する部位に、前記首部または掛止部が収納可能な張り出し部が設けられたことを特徴とする請求項１または２に記載のブリスター容器。    
【手続補正３】
【補正対象書類名】特許請求の範囲
【補正対象項目名】請求項４
【補正方法】変更
【補正の内容】
【請求項４】
前記フランジ部の、首部および掛止部の両方もしくはどちらか一方の対応する部位に、前記首部または掛止部が収納可能な切り欠き部が設けられたことを特徴とする請求項１または２に記載のブリスター容器。
【手続補正４】
【補正対象書類名】明細書
【補正対象項目名】０００９
【補正方法】変更
【補正の内容】
【０００９】
かかる目的を達成するために本発明のブリスター容器は、商品を収納可能な張り出し部と該張り出し部の周縁に設けられたフランジ部とからなるブリスター本体と、切り込みを入れることによって形成されヒンジ部を介して開閉可能な切り起こし部と該切り起こし部を開いたあとに生じて前記ブリスター本体の張り出し部が嵌合可能な嵌合穴とを有する表側台紙と、裏側台紙と、で構成され、切り起こし部を開けて張り出し部を嵌合穴に嵌め込み、商品を収納した状態で切り起こし部を閉じ、表側台紙と裏側台紙とを重ね合わせ、その間にフランジ部を挟み込んで留めるブリスター容器において、
前記切り起こし部が、ヒンジ部を介して開閉可能に延設され少なくとも前記フランジ部の幅よりも１／２以上の長さを有する首部と、該首部から延設され閉じた状態で張り出し部を裏側から覆う蓋部と、該蓋部から突片状に延設され切り起こし部を閉じたときにブリスター本体に掛かることによってこの蓋部が張り出し部内に入り込むのを防ぐための掛止部と、からなることを特徴としている。
【手続補正５】
【補正対象書類名】明細書
【補正対象項目名】００１３
【補正方法】変更
【補正の内容】
【００１３】
また、前記フランジ部の、首部および掛止部の両方もしくはどちらか一方の対応する部位には前記首部または掛止部が収納可能な張り出し部を設けてもよい。  
【手続補正６】
【補正対象書類名】明細書
【補正対象項目名】００１４
【補正方法】変更
【補正の内容】
【００１４】
さらにまた、前記フランジ部の、首部および掛止部の両方もしくはどちらか一方の対応する部位には前記首部または掛止部が収納可能な切り欠き部を設けてもよい。
【手続補正７】
【補正対象書類名】明細書
【補正対象項目名】００４４
【補正方法】変更
【補正の内容】
【００４４】
本第３実施形態のようにフランジ部１１ａに切り欠きを入れて支持部１５ａを収納する形態のものでは、該支持部１５ａの長さはフランジ部１１ｂよりも短く設定することもできる。具体的にはフランジ部１１ｂの幅の半分の長さがあれば、切り起こし部１５を全開することによってブリスター本体３１を傾けることとなしに表側台紙１３と正対させた状態のまま嵌め込むことができる。＿